(57)【要約】【課題】  地震時に回路の遮断がなし得てライフライン復旧時における漏電などによるいわゆる２次災害が防止される住宅用分電盤を提供する。【解決手段】  本発明の住宅用分電盤Ｄは、所定震度を超える地震時に漏電ブレーカ４を遮断する感震器３０を備えるとともに、漏電ブレーカ４の上流に一次電源表示灯２１を有する一次電源表示灯回路２０、および漏電ブレーカ４により回路が遮断された際の照明をなす非常灯４１を有する非常照明用回路４０を有してなるものとされる。【選択図】  図１
2006166645.tif 000002
【特許請求の範囲】
【請求項１】
住宅用分電盤であって、所定震度を超える地震時に漏電ブレーカを遮断する感震器を備えてなることを特徴とする住宅用分電盤。
【請求項２】
漏電ブレーカの上流に一次電源表示灯を有する一次電源表示灯回路を有してなることを特徴とする請求項１記載の住宅用分電盤。
【請求項３】
漏電ブレーカにより回路が遮断された際の照明をなす非常灯を有する非常照明用回路を有してなることを特徴とする請求項１記載の住宅用分電盤。
【発明の詳細な説明】
【技術分野】
【０００１】
本発明は住宅用分電盤に関する。さらに詳しくは、地震時に回路の遮断がなし得てライフライン復旧時における漏電によるいわゆる２次災害が防止される住宅用分電盤に関する。
【背景技術】
【０００２】
従来より、各住宅には商用電源からの電力を各室に分電するために分電盤が設けられている。図５にかかる分電盤Ｄ‘の回路の一例を示す。なお、図５に示す例は単相３線のものを示す。
【０００３】
分電盤Ｄ‘は、図５に示すように、商用電源からの電線１と接続される入口接続端子２と、過電流から回路を保護する主遮断器（ELB）３を有する漏電ブレーカ４と、入口接続端子２と主遮断器３とを接続する入口部配線５と、主遮断器３の下流に配線された主配線６と、主配線６の過電流を検出する変流器７と、変流器７により検出された過電流に基づいて主遮断器３を遮断する過電流継電器８と、主配線６から分岐されて各室の室内配線１０と接続される各室分岐配線９とを備えてなるものとされる。また、各室分岐配線９には個別過電流遮断器１１が設けられ、その末端に室内配線１０と接続される接続端子１２が設けられている。なお、図中の丸付き符号ELB は主遮断器３を遮断する電磁コイルを示す。
【０００４】
しかして、かかる構成とされている分電盤Ｄ‘においては、室内配線１０に過電流が流れると、個別過電流遮断器１１や漏電ブレーカ４が作動して漏電や室内配線１０の過電流による焼損およびそれに伴う火災などが防止されている。
【０００５】
しかしながら、従来の分電盤Ｄ‘においては地震対策がなされていないため、地震により住宅が倒壊しても漏電ブレーカ４が作動して回路が遮断されることはない。そのため、ライフライン復旧時における漏電による火災などのいわゆる２次災害の防止がなし得ないという問題がある。
【発明の開示】
【発明が解決しようとする課題】
【０００６】
本発明はかかる従来技術の課題に鑑みなされたものであって、地震時に回路の遮断がなし得てライフライン復旧時における漏電などによるいわゆる２次災害が防止される住宅用分電盤を提供することを目的としている。
【課題を解決するための手段】
【０００７】
本発明の住宅用分電盤は、所定震度を超える地震時に漏電ブレーカを遮断する感震器を備えてなることを特徴とする。
【０００８】
本発明の住宅用分電盤においては、漏電ブレーカの上流に一次電源表示灯を有する一次電源表示灯回路を有してなるのが好ましい。
【０００９】
また、本発明の住宅用分電盤においては、漏電ブレーカにより回路が遮断された際の照明をなす非常灯を有する非常照明用回路を有してなるのが好ましい。
【発明の効果】
【００１０】
本発明の住宅用分電盤は、前記の如く構成されているので、地震時に回路の遮断がなし得てライフライン復旧時における漏電などによるいわゆる２次災害が防止されるという優れた効果が得られる。
【発明を実施するための最良の形態】
【００１１】
以下、添付図面を参照しながら本発明を実施形態に基づいて説明するが、本発明はかかる実施形態のみに限定されるものではない。
【００１２】
本発明の一実施形態に係る住宅用分電盤（以下、単に分電盤という）の回路を図１に、その内部概略を図２に、その外形正面を図３にそれぞれ示す。
【００１３】
分電盤Ｄは、図１ないし図３に示すように、図５に示す従来の分電盤Ｄ‘に一次電源（商用電源または外部電源）が生きていることを表示する表示灯（一次電源表示灯）２１を有する一次電源表示灯回路２０と、地震時に電磁コイルを作動させて漏電ブレーカ４を遮断する感震器３０と、漏電ブレーカ４により回路が遮断されたときに点灯する非常灯４１を有する非常照明用回路４０とを付加して備えてなるものとされる。なお、図２中、符号Ｎを付した配線は中立線を示す。
【００１４】
一次電源表示灯回路２０は、図１に示すように、入口部配線５から分岐された回路とされ、表示灯２１と過電流から表示灯２１を保護するヒューズ２２とを備えてなるものとされる。表示灯２１は例えば発光ダイオードとされ、図３に示すように、分電盤ケースＣ正面上部中央に形成された表示灯用窓Ｗ１に臨ませて配設されている。
【００１５】
感震器３０は、図４に示すように、振動子３１を有しこの振動子３１が地震時に振動して内部スイッチ（図示省略）をオンすることにより、電磁コイルを励磁して主遮断器３を遮断するものとされ、そのように配線されている。つまり、変流器７と過電流継電器８との接続配線からの分岐配線が感震器３０に接続される一方、感震器３０からの配線が電磁コイルに接続されている。より具体的には、漏電ブレーカ４のテストスイッチへの配線から分岐させられた配線が、感震器３０の内部スイッチに接続されている。
【００１６】
また、感震器３０にはリセットスイッチ３２が設けられていて、地震後にリセットがなし得るようにされている。
【００１７】
ここで、感震器３０は図２に示すように分電盤ケースＣの底部適宜位置に配設され、例えば住宅が倒壊する程度の震度、例えば震度５程度の地震により作動するようにその振動子３１の感度が調整されている。また、リセットスイッチ３２の操作ボタン３２ａは、分電盤ケースＣ正面に同操作ボタン３２ａに対応させて形成されている窓Ｗ２から外部に突出させられている。
【００１８】
なお、かかる構成および機能を有する感震器３０としては、例えばオムロン株式会社製の感震装置（形Ｄ７Ｈ）を好適に用いることができる。
【００１９】
非常照明用回路４０は、図１に示すように、主配線６端に接続されている非常照明用アンプ４２と、非常灯４１と、非常照明用電源４３と、それらを接続している配線４４とを備えてなるものとされる。非常灯４１は、例えば３ボルト、９ワットの電灯とされ、図３に示すように、分電盤ケースＣ正面上部中央に表示灯用窓Ｗ１に隣接させて形成された非常灯用窓Ｗ３に臨ませて配設されている。
【００２０】
非常照明用アンプ４２は、非常照明用電源４３を充電するとともに、漏電ブレーカ４の作動による回路遮断を検知して非常照明用回路４０をオンするものとされる。非常照明用電源４３は、例えばバッテリーとされ、その持続時間は例えば１５分とされる。
【００２１】
次に、かかる構成された分電盤Ｄの動作について、従来の分電盤Ｄ‘と異なる点を中心に説明する。
【００２２】
一次電源の通電が開始されと、表示灯２１が点灯する。これにより、一次電源が生きているのが確認できる。つまり、一次電源が停電していないのが確認できる。
【００２３】
その後、主遮断器３が導通された状態で震度５程度の地震が発生すると、感震器３０が作動して電磁コイルが励磁され主遮断器３が遮断される。つまり、漏電ブレーカ４が遮断される。漏電ブレーカ４が遮断され通電が停止されると、非常照明用アンプ４２により非常照明用回路４０がオンされて非常灯４１が点灯する。これにより、夜間に地震で室内照明が消えても一定時間分電盤周囲の照明が確保される。したがって、夜間であっても地震終了後における漏電ブレーカ４の導通作業および感震器３０のリセットが容易になし得る。また、分電盤Ｄが玄関付近に設けられていれば、非常灯４１が誘導灯としての役目も果たすことになる。
【００２４】
このように、この実施形態によれば、住宅が倒壊する程度の地震が発生すると、感震器３０が作動して漏電ブレーカ４が遮断されるので、地震により損傷しているおそれのある住宅への通電が確実に停止される。また、地震後の漏電ブレーカ４の導通は、その住宅の居住者などがなさない限りなされないので、ライフラインの復旧による漏電による火災などのいわゆる２次災害が確実に防止される。
【００２５】
また、一次電源表示灯２１が設けられているので、室内の停電が一次電源の停電によるものか、感震器３０の作動によるものかの判断が容易になし得る。
【産業上の利用可能性】
【００２６】
本発明は地震により倒壊するおそれのある全ての住宅に適用できる。
【図面の簡単な説明】
【００２７】
【図１】本発明の一実施形態に係る分電盤の回路図である。
【図２】同内部概略図である。
【図３】同外形正面図である。
【図４】感震器の概略図である。
【図５】従来の分電盤の一例の回路図である。
【符号の説明】
【００２８】
４      漏電ブレーカ
６      主配線
７      変流器
８      過電流継電器
１０      室内配線
２０      一次電源表示灯回路
２１      表示灯
３０      感震器
３１      振動子
４０      非常照明用回路
４１      非常灯
４２      非常照明用アンプ
４３      非常照明用電源
Ｄ      分電盤
【図１】
2006166645.tif 000003
【図２】
2006166645.tif 000004
【図３】
2006166645.tif 000005
【図４】
2006166645.tif 000006
【図５】
2006166645.tif 000007